(57)【要約】【課題】簡単な施工で確実な防水処理を行うことができるとともに、確実に屋根配置設備を取り付けること。【解決手段】傾斜配置された野地板２２と、野地板２２の上面に複数配置され、一の上側部に他の下側部を重ねて葺いた屋根材２３と、屋根材２３のうちの特定の屋根材２３の上に設けられた支持台３０と、特定の屋根材２３の上側の屋根材２３から下側の屋根材２３とに渡って設けられ、支持台３０を覆う防水プレート４０と、支持台３０上に防水プレート４０を挟んで設けられ、太陽電池パネル１００を着脱自在に取り付けるための取付基台５０とを備えている。【選択図】図１
2013068005.tif 000002
【特許請求の範囲】
【請求項１】
屋根配置設備を取り付けるための屋根構造において、
傾斜配置された野地板と、
この野地板の上面に複数配置され、一の上側部に他の下側部を重ねて葺いた屋根材と、
これら屋根材のうちの特定の屋根材の上に設けられた支持台と、
前記特定の屋根材の上側の屋根材から下側の屋根材とに渡って設けられ、前記支持台を覆う防水プレートと、
前記支持台上に防水プレートを挟んで設けられ、前記屋根配置設備を着脱自在に取り付けるための取付基台とを備えていることを特徴とする屋根構造。
【請求項２】
前記防水プレートは、上段・中段・下段の３枚のプレートを備え、
上段のプレートは、下縁を下方に折曲して形成され、
中段のプレートは、上縁を上方に、下縁を下方に折曲して形成され、
下段のプレートは、上縁を上方に折曲して形成され、
上段のプレートの下縁は、中段の上縁より下方に配置され、
下段のプレートの上縁は、中段の下縁より上方に配置されていることを特徴とする請求項１に記載の屋根構造。
【請求項３】
前記防水プレートは、上側の屋根材から下側の屋根材とに渡って１枚のプレートで形成されていることを特徴とする請求項１に記載の屋根構造。
【請求項４】
前記支持台は、前記防水プレートと一体形成されていることを特徴とする請求項１に記載の屋根構造。
【請求項５】
傾斜配置された野地板上に一部を重ねて上下方向に複数配置された屋根材を覆う防水プレートにおいて、
前記屋根材のうち、支持台が設けられた特定の屋根材を覆うと共に、上縁を上方に、下縁を下方に折曲して形成された中段のプレートと、
前記特定の屋根材の上側の屋根材を覆うと共に、下縁を下方に折曲して形成された上段のプレートと、
前記特定の屋根材の下側の屋根材を覆うと共に、上縁を上方に折曲して形成された下段のプレートとを具備し、
前記上段のプレートの下縁は、前記中段のプレートの上縁より下方に配置され、
前記下段のプレートの上縁は、前記中段のプレートの下縁より上方に配置されていることを特徴とする防水プレート。
【請求項６】
傾斜配置された野地板上に一部を重ねて上下方向に複数配置された屋根材を覆う防水プレートにおいて、
前記屋根材のうち、支持台が設けられた特定の屋根材を覆う中段のプレートと、
前記特定の屋根材の上側の屋根材を覆う上段のプレートと、
前記特定の屋根材の下側の屋根材を覆う下段のプレートとを具備し、
前記上段・中段・下段のプレートは一体に形成されていることを特徴とする防水プレート。
【請求項７】
前記支持台は、前記中段のプレートと一体形成されていることを特徴とする請求項５又は６に記載の防水プレート。
【発明の詳細な説明】
【技術分野】
【０００１】
本発明は、太陽電池パネル等の屋根配置設備を取り付けるための屋根構造及び防水プレートに関し、特に防水性を向上させる技術に関する。
【背景技術】
【０００２】
家屋の屋根に、太陽電池パネルや温水器等の屋根配置設備を配置することがある。太陽電池パネルの場合は、屋根に固定した取付基台に、強風等でも飛ばされることがないように強固に取り付ける必要がある。取付基台は、例えばスレート瓦のような屋根材に取付孔を設け、取付孔に通した釘材を垂木まで打ち込み、屋根材の上に固定する。そして、固定した取付基台を用いて太陽電池パネルを取り付け、さらに防水用の充填材（ブチルテープやコーキング材）を取付孔に充填して塞いだり、取付孔の上を防水シートで覆って屋根の防水処理を行っていた（例えば、特許文献１参照。）。
【先行技術文献】
【特許文献】
【０００３】
【特許文献１】特開２００９−７７８２号公報（第４頁、第１図）
【発明の概要】
【発明が解決しようとする課題】
【０００４】
上述した屋根構造では、次のような問題があった。すなわち、充填材による防水処理を全ての取付孔に施すことになるために、材料コスト及び作業コストが増大するという問題があった。また、防水シートは施工は簡単であり、無風時の雨には効果的である。しかし、強風を伴った雨では防水シートと屋根材の隙間から浸入して釘から野地板側に雨水が漏れる虞があった。
【０００５】
そこで本発明は、簡単な施工で確実な防水処理を行うことができるとともに、確実に屋根配置設備を取り付けることができる屋根構造及び防水プレートを提供することを目的としている。
【課題を解決するための手段】
【０００６】
前記課題を解決し目的を達成するために、本発明の屋根構造及び防水プレートは次のように構成されている。
【０００７】
屋根配置設備を取り付けるための屋根構造において、傾斜配置された野地板と、この野地板の上面に複数配置され、一の上側部に他の下側部を重ねて葺いた屋根材と、これら屋根材のうちの特定の屋根材の上に設けられた支持台と、前記特定の屋根材の上側の屋根材から下側の屋根材とに渡って設けられ、前記支持台を覆う防水プレートと、前記支持台上に防水プレートを挟んで設けられ、前記屋根配置設備を着脱自在に取り付けるための取付基台とを備えている。
【０００８】
傾斜配置された野地板上に一部を重ねて上下方向に複数配置された屋根材を覆う防水プレートにおいて、前記屋根材のうち、支持台が設けられた特定の屋根材を覆うと共に、上縁を上方に、下縁を下方に折曲して形成された中段のプレートと、前記特定の屋根材の上側の屋根材を覆うと共に、下縁を下方に折曲して形成された上段のプレートと、前記特定の屋根材の下側の屋根材を覆うと共に、上縁を上方に折曲して形成された下段のプレートとを具備し、前記上段のプレートの下縁は、前記中段のプレートの上縁より下方に配置され、前記下段のプレートの上縁は、前記中段のプレートの下縁より上方に配置されている。
【０００９】
傾斜配置された野地板上に一部を重ねて上下方向に複数配置された屋根材を覆う防水プレートにおいて、前記屋根材のうち、支持台が設けられた特定の屋根材を覆う中段のプレートと、前記特定の屋根材の上側の屋根材を覆う上段のプレートと、前記特定の屋根材の下側の屋根材を覆う下段のプレートとを具備し、前記上段・中段・下段のプレートは一体に形成されている。
【発明の効果】
【００１０】
本発明によれば、簡単な施工で確実な防水処理を行うことができるとともに、確実に屋根配置設備を取り付けることが可能となる。
【図面の簡単な説明】
【００１１】
【図１】本発明の第１の実施形態に係る防水プレートを介して太陽電池パネルが取り付けられた屋根構造を示す斜視図。
【図２】同屋根構造の要部を示す断面図。
【図３】同屋根構造に組み込まれた支持台と防水プレートとの位置関係を示す斜視図。
【図４】同防水プレートの第１の変形例を示す側面図。
【図５】同防水プレートの第２の変形例を示す側面図。
【図６】本発明の第２の実施形態に係る防水プレートを介して太陽電池パネルが取り付けられた屋根構造の要部を示す断面図。
【図７】同防水プレートの要部を示す側面図。
【図８】同防水プレートを示す斜視図。
【図９Ａ】本第３の実施形態にかかる防水プレートを介して太陽電池パネルを取り付けるための屋根構造の要部を示す斜視図。
【図９Ｂ】同屋根構造の防水プレートと支持台との位置関係を示す縦断面図。
【図１０】本第４の実施形態にかかる防水プレートを介して太陽電池パネルを取り付けるための屋根構造の要部を示す斜視図。
【発明を実施するための形態】
【００１２】
図１は本発明の第１の実施形態に係る防水プレート４０を介して太陽電池パネル（屋根配置設備）１００が取り付けられた屋根構造を示す斜視図、図２は屋根構造１０の要部を示す断面図、図３は屋根構造１０に組み込まれた支持台３０と防水プレート４０との位置関係を示す斜視図である。なお、野地板２２を貫通する方向を上下方向、棟側を前方、軒先側を後方として説明する。
【００１３】
屋根構造１０は、屋根構造材２０と、この屋根構造材２０の上部に支持台３０、防水プレート４０及び取付基台５０を介して設けられた太陽電池パネル（屋根設備）１００とを備えている。
【００１４】
屋根構造材２０は、垂木２１と、この垂木２１上に傾斜配置された野地板２２と、この野地板２２上に防水シート等を挟んで葺かれた屋根材２３とを備えている。なお、ここでは説明に際して図２に示す中央の屋根材２３を中段の屋根材２３と称し、その上に重なる屋根材２３を上段の屋根材２３、中段の屋根材２３の下に重なる屋根材２３を下段の屋根材２３として説明する。
【００１５】
屋根材２３は、図２に示すように、平板状に形成され、野地板２２の傾斜に沿って後方から順次屋根材２３の一部を上に重ねながらビス２３ａにより取り付けられている。ビス２３ａは、例えば中段の屋根材（特定の屋根材）２３を貫いて固定してあり、その中段の屋根材２３の下段の屋根材２３の前縁がビス２３ａの側面に当接している。またビス２３ａは、上段の屋根材２３で上面が覆われている。中段の屋根材２３の上には、下側から支持台３０、防水プレート４０、取付基台５０の順で積層配置されている。これら支持台３０、防水プレート４０、取付基台５０は、屋根材２３に形成された取付孔２３ｂを通したボルト（緊結材）２３ｃで垂木２１と野地板２２に固定されている。
【００１６】
支持台３０は、金属板等により形成されており、平板状の基板３１とこの基板３１の中央部に形成された凸部３２とを備えている。基板３１の前端縁３１ａが上方に折曲されており、屋根材２３の下縁に対向配置されている。基板３１の後端縁３１ｂが下方に折曲されており、屋根材２３の下縁に対向配置されている。なお、基板３１の前端縁３１ａ及び後端縁３１ｂの折曲幅は、ほぼ屋根材２３の厚みに等しい。
【００１７】
凸部３２は、横断面がほぼ半円形で縦長に形成された３つの突出部３３から形成されている。３つの突出部３３は、前後に沿ってほぼ平行に形成されている。各突出部３３は、それらの頂部３４が図２に示すように、後方が低くなるよう所定の角度で均一に形成されている。
【００１８】
突出部３３の頂部の角度は、屋根材２３と垂木２１や野地板２２等屋根構造材との傾斜角度の差と等しい値となっている。さらに中央に設けられた突出部３３には、頂部３４に締結孔３４ａが２箇所形成してある。締結孔３４ａは、支持台３０を屋根材２３の所定の位置に配置すると、屋根材２３に設けられた取付孔２３ｂに対応する位置に形成されている。
【００１９】
防水プレート４０は、例えば合成樹脂からなる平板状の部材であり、前方から後方にかけてプレート材４１，４２，４３とを有している。
【００２０】
プレート材（上段のプレート）４１は、平板状の基板４１ａと、この基板４１ａの後端に下方に折曲して形成された後端縁（下縁）４１ｂとを備えている。後端縁４１ｂの折曲幅は屋根材２３の厚みに等しい。
【００２１】
プレート材（中段のプレート）４２は、平板状の基板４２ａと、この基板４２ａの中央部に形成された凸部４２ｂと、前端に設けられ上方に折曲された前端縁（上縁）４２ｃと、後端に設けられ下方に折曲された後端縁（下縁）４２ｄとを備えている。前端縁４２ｃ及び後端縁４２ｄの折曲幅は、ほぼ屋根材２３の厚みに等しい。凸部４２ｂは、図３に示すように、前述した３つの突出部３３を覆う形状に形成されている。
【００２２】
凸部４２ｂの頂部４２ｅの角度は、屋根材２３と垂木２１や野地板２２との傾斜角度の差と等しい値となっている。頂部４２ｅに締結孔４２ｆが２箇所形成してある。締結孔４２ｆは、防水プレート４０を屋根材２３の所定の位置に配置すると、屋根材２３に設けられた取付孔２３ｂに対応する位置に形成されている。
【００２３】
プレート材（下段のプレート）４３は、平板状の基板４３ａと、この基板４３ａの前端に上方に折曲して形成された前端縁（上縁）４３ｂとを備えている。前端縁４３ｂの折曲幅は屋根材２３の厚みに等しい。
【００２４】
プレート材４１は、後端縁４１ｂは、プレート材４２の前端縁４２ｃより下方に配置され、プレート材４３の前端縁４３ｂは、プレート材４２の後端縁４２ｄより上方に配置されている。すなわち、上方から流れ落ちる雨水がプレート材４１〜４３の間の隙間から野地板２２側に滴下することはない。
【００２５】
取付基台５０は、基板５１と取付片５２を有するアルミニウム材等からなる押し出し成形品であり、長手方向にほぼ同一の断面を有している。基板５１は、平板状に形成されている。また基板５１には、取付孔２３ｂに対応した締結孔５１ａが形成されている。基板５１上には取付片５２が設けられている。取付片５２は逆Ｌ字状の２枚の縦片で、互いに平行で、上面に間隙５３が長手方向に均一に形成されている。間隙５３は、ラック付きボルト１０２ａのねじ部が通り、頭部が通過しない間隔を有している。
【００２６】
太陽電池パネル１００は、パネル本体１０１とパネル本体１０１を取付基台５０に取り付けるためのラック１０２とを備えている。
【００２７】
次に、太陽電池パネル１００の屋根構造材２０への取り付け方法について説明する。最初に、屋根材２３をその一部を重ねながらビス２３ａで野地板２２上に止めつける。屋根材２３の所定位置に、取付孔２３ｂをドリル等であける。取付孔２３ｂは、基本的には垂木２１の上部とし、垂木２１に沿って２箇所に形成する。取付孔２３ｂを形成したなら、支持台３０を中段の屋根材２３上に載置する。
【００２８】
そして、プレート材４３を下段の屋根材２３上に配置し、プレート材４２を中段の屋根材２３上に配置し、プレート材４１を上段の屋根材２３上に配置する。この時、各前後端縁については、上述したように組み合わせる。
【００２９】
次に防水プレート４０の上に取付基台５０を載せ、取付基台５０に形成されている締結孔５１ａにボルト２３ｃを通す。さらに、ボルト２３ｃは、防水プレート４０の凸部４２ｂに形成された締結孔４２ｆを貫通させ、さらに、支持台３０の頂部３４の締結孔３４ａを貫通させ、屋根材２３に形成された取付孔２３ｂを通して、野地板２２及び垂木２１にねじ込む。
【００３０】
このように構成された屋根構造１０においては、支持台３０及び取付基台５０を介して、太陽電池パネル１００が野地板２２上に取り付けられると共に、雨天時には、前方の屋根材２３から流れ落ちた雨水が防水プレート４０に案内されて、後方の屋根材２３へ流れる。このとき、支持台３０が設けられた屋根材２３の上下１枚ずつの屋根材２３に対応して防水プレート４０が設けられているため、屋根材２３同士の隙間から雨水が浸入したりすることがない。また、防水プレート４０を構成する各プレート材４１〜４３において、プレート材４１の後端縁４１ｂがプレート材４２の前端縁４２ｃより下方に配置され、プレート材４３の前端縁４３ｂは、プレート材４２の後端縁４２ｄより上方に配置されているため、上方から流れ落ちる雨水がプレート材４１〜４３の隙間から野地板２２側に滴下することはない。したがって、防水を確実に行うことができる。
【００３１】
なお、ボルト２３ｃは防水プレート４０の凸部４２ｂ、支持台３０の頂部３４をそれぞれ貫通しており、ボルト２３ｃに沿って雨水が浸み込むことも防止することができる。
【００３２】
上述したように、本実施の形態に係る屋根構造１０によれば、簡単な施工で確実な防水処理を行うことができるとともに、確実に屋根配置設備を取り付けることが可能となる。
【００３３】
図４は第１の変形例に係る防水プレート４０Ａを示す側面図である。防水プレート４０Ａは、例えば合成樹脂からなる平板状の部材であり、前方から後方にかけてプレート材４１Ａ，４２Ａ，４３Ａとを有している。なお、本変形例において、上述した防水プレート４０と同一機能部分には同一符号を付し、詳細な説明は省略する。
【００３４】
プレート材（上段のプレート）４１Ａは、平板状の基板４１ａと、この基板４１ａの後端に下方に折曲して形成された後端縁（下縁）４１ｂとを備えている。
【００３５】
プレート材（中段のプレート）４２Ａは、平板状の基板４２ａと、この基板４２ａの中央部に形成された凸部４２ｂと、基板４１ａの前端に上方に折曲し、さらに前方に折曲したＺ型端部４２ｇと、後端に設けられ下方に折曲された後端縁（下縁）４２ｄとを備えている。
【００３６】
プレート材（下段のプレート）４３Ａは、平板状の基板４３ａと、この基板４３ａの前端に上方に折曲し、さらに前方に折曲したＺ型端部４３ｃとを備えている。
【００３７】
本変形例においても、上方から流れ落ちる雨水がプレート材４１Ａ〜４３Ａの間の隙間から野地板２２側に滴下することはなく、上述した実施の形態と同様の防水効果が得られる。さらに、Ｚ型端部を有することで、屋根材２３の後端に係合させることができ、プレート材４１Ａ〜４３Ａの位置決めを確実に行うことができる。
【００３８】
図５は第２の変形例に係る防水プレート４０Ｂを示す側面図である。防水プレート４０Ｂは、例えば合成樹脂からなる平板状の部材であり、前方から後方にかけてプレート部４４，４５，４６とを有している。プレート部（上段のプレート）４４は、平板状の基板４４ａと、この基板４４ａの後端に下方に折曲して形成された後端縁（下縁）４４ｂとを備えている。後端縁４５の折曲幅は屋根材２３の厚みに等しい。
【００３９】
プレート部（中段のプレート）４５は、平板状の基板４５ａと、この基板４５ａの中央部に形成された凸部４５ｂと、前端に設けられ上方に折曲された前端縁（上縁）４５ｃと、後端に設けられ下方に折曲された後端縁（下縁）４５ｄとを備えている。前端縁４５ｃ及び後端縁４２ｄの折曲幅は、ほぼ屋根材２３の厚みに等しい。凸部４５ｂは、前述した３つの突出部３３を覆う形状に形成されている。
【００４０】
凸部４５ｂの頂部４５ｅの角度は、屋根材２３と垂木２１や野地板２２との傾斜角度の差と等しい値となっている。頂部４５ｅに締結孔４５ｆが２箇所形成してある。締結孔４５ｆは、防水プレート４０Ｂを屋根材２３の所定の位置に配置すると、屋根材２３に設けられた取付孔２３ｂに対応する位置に形成されている。
【００４１】
プレート部（下段のプレート）４６は、平板状の基板４６ａと、この基板４６ａの前端に上方に折曲して形成された前端縁（上縁）４６ｂとを備えている。前端縁４６ｂの折曲幅は屋根材２３の厚みに等しい。
【００４２】
プレート部４４は後端縁４４ｂとプレート部４５の前端縁４５ｃとが接合され、プレート部４６の前端縁４６ｂとプレート部４５の後端縁４５ｄとが接合されている。すなわち、防水プレート４０Ｂは一枚の板金であるため、上方から流れ落ちる雨水がプレート部４４〜４６の間の隙間から野地板２２側に滴下することはない。
【００４３】
本変形例においても、上述した実施の形態と同様の防水効果が得られる。
【００４４】
図６は本発明の第２の実施形態に係る防水プレート７０を介して太陽電池パネル（屋根配置設備）１００が取り付けられた屋根構造の要部を示す断面図、図７は防水プレート７０のプレート板７２を示す側面図、図８は防水プレート７０を示す斜視図である。
【００４５】
なお、これらの図において、図１〜３と同一機能部分には同一符号を付し、その詳細な説明は省略する。
【００４６】
屋根構造１０は、屋根構造材２０と、この屋根構造材２０の上部に支持台を兼ねた防水プレート７０及び取付基台５０を介して設けられた太陽電池パネル（屋根設備）１００とを備えている。
【００４７】
防水プレート７０は、例えば合成樹脂からなる平板状の部材であり、前方から後方にかけてプレート材７１，７２，７３とを有している。
【００４８】
プレート材（上段のプレート）７１は、平板状の基板７１ａと、この基板７１ａの後端に下方に折曲して形成された後端縁（下縁）７１ｂとを備えている。後端縁７１ｂの折曲幅は屋根材２３の厚みに等しい。
【００４９】
プレート材（中段のプレート）７２は、平板状の基板７２ａと、この基板７２ａの中央部に形成された凸部７２ｂと、前端に設けられ上方に折曲された前端縁（上縁）７２ｃと、後端に設けられ下方に折曲された後端縁（下縁）７２ｄとを備えている。前端縁７２ｃ及び後端縁７２ｄの折曲幅は、ほぼ屋根材２３の厚みに等しい。凸部７２ｂは、図８に示すように、横断面がほぼ半円形で縦長に形成された３つの突出部７２ｅから形成されている。３つの突出部７２ｅは、前後に沿ってほぼ平行に形成されている。各突出部７２ｅは、それらの頂部７２ｆが屋根材２３と垂木２１や野地板２２との傾斜角度の差と等しい値となっている。頂部７２ｆには締結孔７２ｇが２箇所形成してある。締結孔７２ｇは、防水プレート７０を屋根材２３の所定の位置に配置すると、屋根材２３に設けられた取付孔２３ｂに対応する位置に形成されている。
【００５０】
プレート材（下段のプレート）７３は、平板状の基板７３ａと、この基板７３ａの前端に上方に折曲して形成された前端縁（上縁）７３ｂとを備えている。前端縁７３ｂの折曲幅は屋根材２３の厚みに等しい。
【００５１】
プレート材７１は、後端縁７１ｂは、プレート材７２の前端縁７２ｃより下方に配置され、プレート材７３の前端縁７３ｂは、プレート材７２の後端縁７２ｄより上方に配置されている。すなわち、上方から流れ落ちる雨水がプレート材７１〜７３の間の隙間から野地板２２側に滴下することはない。
【００５２】
本実施の形態においても、上方から流れ落ちる雨水がプレート材７１〜７３の間の隙間から野地板２２側に滴下することはなく、上述した実施の形態と同様の防水効果が得られる。なお、本実施の形態においても、プレート材７１〜７３を一体化してもよく、また、前端縁をＺ型端部としてもよい。
【００５３】
図９Ａは本第３の実施形態にかかる防水プレート８０を介して太陽電池パネルを取り付けるための屋根構造の要部を示す斜視図、図９Ｂは防水プレート８０と支持台８５との位置関係を示す縦断面図である。なお、これらの図において、図１〜３と同一機能部分には同一符号を付し、その詳細な説明は省略する。
【００５４】
防水プレート８０は、例えば合成樹脂からなる平板状の部材であり、前方から後方にかけてプレート部８１，８２，８３とを有している。プレート部（上段のプレート）８１は、平板状の基板８１ａと、この基板８１ａの後端に下方に折曲して形成された後端縁（下縁）８１ｂとを備えている。後端縁８１ｂの折曲幅は屋根材２３の厚みに等しい。
【００５５】
プレート部（中段のプレート）８２は、平板状の基板８２ａと、この基板８２ａの中央部に形成された凸部８２ｂと、前端に設けられ上方に折曲された前端縁（上縁）８２ｃと、後端に設けられ下方に折曲された後端縁（下縁）８２ｄとを備えている。前端縁８２ｃ及び後端縁８２ｄの折曲幅は、ほぼ屋根材２３の厚みに等しい。凸部８２ｂの下部には、支持台８５が設けられており、支持台８５からボルト８６が凸部８２ｂを貫通して上方に突出している。ボルト８６は、太陽電池パネル等を支持する取付基台（不図示）が取り付け可能となっている。凸部８２ｂにはボルト８６の外周面に密着し、雨水の入り込む隙間を埋めるカラー８２ｂａが形成されている。
【００５６】
プレート部（下段のプレート）８３は、平板状の基板８３ａと、この基板８３ａの前端に上方に折曲して形成された前端縁（上縁）８３ｂとを備えている。前端縁８３ｂの折曲幅は屋根材２３の厚みに等しい。
【００５７】
プレート部８１は後端縁８１ｂとプレート部８２の前端縁８２ｃとが接合され、プレート部８３の前端縁８３ｂとプレート部８２の後端縁８２ｄとが接合されている。すなわち、防水プレート８０は一枚の板金であるため、上方から流れ落ちる雨水がプレート部８１〜８３の間の隙間から野地板２２側に滴下することはない。
【００５８】
本実施の形態においても、上述した実施の形態と同様の防水効果が得られる。
【００５９】
なお、防水プレート８０は、上述した防水プレート４０のように３枚のプレート材を組み合わせて構成してもよい。
【００６０】
図１０は本第４の実施形態にかかる防水プレート８０Ａを介して太陽電池パネルを取り付けるための屋根構造の要部を示す斜視図である。なお、この図において、図９Ａと同一機能部分には同一符号を付し、その詳細な説明は省略する。
【００６１】
防水プレート８０Ａは、例えば合成樹脂からなる平板状の部材であり、前方から後方にかけてプレート部８１，８２Ａ，８３とを有している。
【００６２】
プレート部（中段のプレート）８２Ａは、平板状の基板８２ａと、前端に設けられ上方に折曲された前端縁（上縁）８２ｃと、後端に設けられ下方に折曲された後端縁（下縁）８２ｄとを備えている。なお、基板８２ａの中央には、支持プレート８７が溶接されている。支持プレート８７からボルト８８が上方に突出している。ボルト８８は、太陽電池パネル等を支持する取付基台（不図示）が取り付け可能となっている。
【００６３】
本実施の形態においても、上述した実施の形態と同様の防水効果が得られる。
【００６４】
なお、防水プレート８０Ａは、上述した防水プレート４０のように３枚のプレート材を組み合わせて構成してもよい。
【００６５】
なお、本発明は前記実施の形態に限定されるものではない。例えば、く、本発明の要旨を逸脱しない範囲で種々変形実施可能であるのは勿論である。
【符号の説明】
【００６６】
１０…屋根構造、２０…屋根構造材、２２…野地板、２３…屋根材、３０…支持台、４０…防水プレート、４１，４２，４３…プレート材、５０…取付基台、５１…基板、５２…取付片、１００…太陽電池パネル、４０Ａ…防水プレート、４１Ａ，４２Ａ，４３Ａ…プレート材、４０Ｂ…防水プレート、４４，４５，４６…プレート部、７０…防水プレート、７１，７２，７３…プレート材、８０…防水プレート、８１，８２，８３…プレート部、８０Ａ…防水プレート、８１，８２Ａ，８３…プレート部。
【図１】
2013068005.tif 000003
【図２】
2013068005.tif 000004
【図３】
2013068005.tif 000005
【図４】
2013068005.tif 000006
【図５】
2013068005.tif 000007
【図６】
2013068005.tif 000008
【図７】
2013068005.tif 000009
【図８】
2013068005.tif 000010
【図９Ａ】
2013068005.tif 000011
【図９Ｂ】
2013068005.tif 000012
【図１０】
2013068005.tif 000013